(57)【特許請求の範囲】
【請求項１】
各一対の端壁１及び側壁２の上端に内フラップ４及び外フラップ５をそれぞれ連設し、端壁１の上部に切目線６，８を入れて、指入部７及び摘み部９を形成し、内フラップ４に外フラップ５を重ね、突き合わせた外フラップ５の先端部から摘み部９へかけてテープＴを貼り付けることにより封緘する包装箱において、内フラップ４から端壁１の下部にかけて、摘み部９の外側を取り囲むように切目線１０，１１を入れて、切開可能な開口壁部１２を形成し、開口壁部１２の上部に、摘み部９の切取穴に連通する把手穴１３を設けたことを特徴とする切裂開口機能付き包装箱。
【請求項２】
前記開口壁部１２の幅が上方では広く、下方へかけて狭くなるように切目線１１を斜めに入れたことを特徴とする請求項１に記載の切裂開口機能付き包装箱。
【請求項３】
前記切目線１１を、上方へかけて二股に広がった分岐部１１ａ，１１ｂを有する切目が断続するものとしたことを特徴とする請求項２に記載の切裂開口機能付き包装箱。
【発明の詳細な説明】
【技術分野】
【０００１】
この発明は、収納した物品の取り出しを容易にする切裂開口機能を備えた包装箱に関するものである。
【背景技術】
【０００２】
従来、図１６に示すように、各一対の端壁５１及び側壁５２の上端に内フラップ５３及び外フラップ５４をそれぞれ連設し、端壁５１の上部にＨ字形の切目線５５を入れて、指入部５６及び摘み部５７を形成し、摘み部５７の終端に幅方向の切目線５８を入れたものが知られている（下記特許文献１参照）。
【０００３】
この包装箱を封緘する際には、内フラップ５３に外フラップ５４を重ね、突き合わせた外フラップ５４の先端部から摘み部５７へかけてテープＴを貼り付ける。
【０００４】
一方、この包装箱を開封する際には、指入部５６を押し込み、その抜出穴に指を入れ、摘み部５７を摘んで、摘み部５７と共にテープＴを引き剥がすと、テープＴの端縁を捲ることなく開封することができる。
【０００５】
【特許文献１】実開平２−６３３２３号公報
【発明の開示】
【発明が解決しようとする課題】
【０００６】
しかしながら、上記のような包装箱では、例えば、多数のギフト箱を隙間なく収納すると、ギフト箱を取り出す際、包装箱の壁面とギフト箱の間に手が入らず、取り出しが困難となり、また、近年多用されているギフト箱は、浅い身箱に蓋の下部のみが挿入されているため、身箱から蓋が外れることもあった。
【０００７】
また、開封時にテープを引き剥がす際、摘み部の終端の切目線に設けられた繋部が切れにくく、摘み部の終端から端壁の上部や内フラップの基部が不規則に引き裂かれ、抵抗が大きくなるという問題もあった。
【０００８】
そこで、この発明は、テープ封緘の開封が容易で、かつ物品を容易に取り出せる包装箱を提供することを課題とする。
【課題を解決するための手段】
【０００９】
上記課題を提供するため、この発明では、各一対の端壁及び側壁の上端に内フラップ及び外フラップをそれぞれ連設し、端壁の上部に切目線を入れて、指入部及び摘み部を形成し、内フラップに外フラップを重ね、突き合わせた外フラップの先端部から摘み部へかけてテープを貼り付けることにより封緘する包装箱において、内フラップから端壁の下部にかけて、摘み部の外側を取り囲むように切目線を入れて、切開可能な開口壁部を形成し、開口壁部の上部に、摘み部の切取穴に連通する把手穴を設けたのである。
【発明の効果】
【００１０】
この包装箱では、指入部を押し込み、その抜出穴に指を入れ、摘み部を摘んでテープを引くと、摘み部の切目線の切断が把手穴に達したとき、摘み部は包装箱から分離し、摘み部と共にテープを引き剥がして開封した後、外フラップを開いて、把手穴に手を入れ、開口壁部を手前に引き、切目線の切断に伴い、開口壁部を開放することにより、その開口部から手を差し入れて、物品を容易に取り出すことができる。
【発明を実施するための最良の形態】
【００１１】
まず、この発明の第１実施形態を図１乃至図７に基づいて説明する。
【００１２】
図１に示すように、この包装箱の段ボール製ブランクは、各一対の端壁１及び側壁２を交互に連設し、一方の側壁２の外側に継代片３を設け、各端壁１及び側壁２の上端及び下端に、それぞれ内フラップ４及び外フラップ５を連設したものとされている。
【００１３】
一方の端壁１の上部には、逆Ｕ字形をなす繋部付きの切目線６を入れて、その内側に指入部７が形成され、指入部７の両側上部から内フラップ４との境界部へかけて、２本のジッパ形切目線８を入れて、その間に摘み部９が形成されている。
【００１４】
また、この内フラップ４から端壁１の下部にかけては、摘み部９の外側を取り囲むように、横方向のミシン目状切目線１０と、その両端部を始端とするジッパ形の切目線１１とを入れて、上方より下方の幅が狭くなる開口壁部１２が形成され、開口壁部１２には、内フラップ４の基部に、切目線８の終端に臨む把手穴１３が設けられている。
【００１５】
このようなブランクを組み立てて物品を包装するには、図２に示すように、各一対の端壁１及び側壁２を角筒状に折り曲げ、継代片３を反対側の端壁１に貼り付けて周壁を形成し、下方の内フラップ４及び外フラップ５を順次内側へ折り曲げて底面を閉止する。
【００１６】
そして、物品を収納した後、上方の内フラップ４及び外フラップ５を順次内側へ折り曲げて、内フラップ４に外フラップ５を重ね、突き合わせた外フラップ５の先端部から端壁１の摘み部９へかけてテープＴを貼り付けることにより、天面を封緘する。
【００１７】
一方、上記のように封緘した包装箱を開封する際には、図３に示すように、切目線６の繋部を切断しつつ、指入部７を押し込んで、その抜出穴に指を入れ、摘み部９を摘んで、図４に示すように、切目線８の切断に伴い、摘み部９を端壁１から切り取り、テープＴを外フラップ５から引き剥がす。
【００１８】
このとき、切目線８の終端が把手穴１３に臨んでいるので、テープＴを引くだけで、摘み部９は、終端で不規則に裂けることなく、容易に切り取られ、テープＴに貼り付いた状態で、包装箱から分離して、摘み部９の切取穴と把手穴１３とが連通する。
【００１９】
次に、箱内の物品を取り出す際には、図５に示すように、一対の外フラップ５を開き、把手穴１３に手を入れ、開口壁部１２を起立させるように手前に引いて、図６に示すように、内フラップ４の切目線１０，１１を切断し、切目線１０の端縁に他方の手を掛けて、開口壁部１２をさらに手前下方に引く。
【００２０】
これにより、図７に示すように、開口壁部１２を開放して、端壁１を下部まで開口させることができるので、包装箱に多数のギフト箱が隙間なく収納されていても、端壁１の開口部から手を差し入れて、ギフト箱の底に手を掛け、ギフト箱を包装箱から容易に取り出すことができる。
【００２１】
また、この包装箱では、開口壁部１２の幅が上方では広く、下方へかけて狭くなるように切目線１１を入れているので、端壁１の開口部の手首側が入る部分の幅を広く確保しつつ、梱包状態における圧縮強度の低下を抑制することができる。
【００２２】
ところで、この実施形態では、端壁１を下部まで開口させても、開口壁部１２の下端が端壁１に繋がったままとなるようにしているが、開口壁部１２の下端に幅方向のミシン目状切目線を入れて、開口壁部１２を切除できるようにしてもよい。
【００２３】
また、内フラップ４に入れる切目線１０は、横方向の直線としたが、内フラップ４の先端側へＶ字状に突出した折線や、弧状に突出した曲線としてもよい。
【００２４】
さらに、各一対の端壁１及び側壁２を連設した周壁は、稜部に面取状の斜面を有する八角形筒状等の形状としてもよい。
【００２５】
次に、この発明の第２実施形態を図８乃至図１５に基づいて説明する。なお、この包装箱は、上記第１実施形態のものと基本構成は共通するので、ここでは、第１実施形態と相違する部分についてのみ言及する。
【００２６】
図８にブランク状態で示すように、この包装箱の切目線１１は、上方へかけて二股に広がった分岐部１１ａ，１１ｂを有するＹ字状の切目が断続するものとされ、外側の分岐部１１ｂとその下方の直線部分との間には、強度等を考慮して、繋部が設けられている。
【００２７】
また、指入部７は、指を入れやすいように丸形とされ、把手穴１３には、手を掛けやすくするため、把持片１３ａが設けられている。
【００２８】
この包装箱もまた、図９に示す封緘状態から開封する際、図１０に示すように、指入部７を押し込み、その抜出穴に指を入れ、図１１に示すように、摘み部９を摘んでテープＴを引くと、摘み部９の切目線８の切断が把手穴１３に達したとき、摘み部９は包装箱から分離するので、摘み部９と共にテープＴを引き剥がして容易に開封できる。
【００２９】
その後、図１２に示すように、外フラップ５を開いて、把手穴１３に手を入れ、図１３及び図１４に示すように、開口壁部１２を手前に引き、切目線１１の切断に伴い、開口壁部１２を開放することにより、図１５に示すように、端壁１を下部まで大きく開口させ、その開口部から手を差し入れて、ギフト箱等の物品を容易に取り出すことができる。
【００３０】
ここで、開口壁部１２を開放する際、端壁１において、開口壁部１２の幅が上方では広く、下方へかけて狭くなるように切目線１１が斜めに入れられていることから、段ボールの表ライナは切目線１１から外側へ逸れる方向へ破断し、裏ライナは切目線１１から内側へ逸れる方向へ破断しようとする。
【００３１】
しかしながら、この包装箱では、切目線１１の断続する各切目が上方へかけて二股に広がった分岐部１１ａ，１１ｂを有するＹ字状とされていることから、切目間で外側へ逸れようとする表ライナの裂目は、次の切目の分岐部１１ｂに到達し、内側へ逸れようとする裏ライナの裂目は、次の切目の分岐部１１ａに到達することとなる。
【００３２】
このため、表裏のライナは、切目線１１から大きく逸れることなく連続的に破断し、背が高く切目線１１の長い包装箱であっても、切目線１１の切断抵抗が著しく大きくなったり、開口壁部１２の開放後に、端壁１のライナが大きく捲れて中しんが露出した醜い外観を呈することがない。
【図面の簡単な説明】
【００３３】
【図１】この発明の第１実施形態に係る包装箱のブランクを示す図
【図２】同上の包装箱の封緘状態を示す斜視図
【図３】同上の開封過程を示す部分斜視図
【図４】同上の開封過程を示す部分斜視図
【図５】同上の開口壁部の開放過程を示す部分斜視図
【図６】同上の開口壁部の開放過程を示す部分斜視図
【図７】同上の開口壁部の開放状態を示す斜視図
【図８】この発明の第２実施形態に係る包装箱のブランクを示す図
【図９】同上の包装箱の封緘状態を示す斜視図
【図１０】同上の開封過程を示す部分斜視図
【図１１】同上の開封過程を示す部分斜視図
【図１２】同上の開口壁部の開放過程を示す部分斜視図
【図１３】同上の開口壁部の開放過程を示す部分斜視図
【図１４】同上の開口壁部の開放状態を示す部分斜視図
【図１５】同上の開口壁部の開放状態を示す斜視図
【図１６】従来の包装箱の封緘状態を示す斜視図
【符号の説明】
【００３４】
１  端壁
２  側壁
３  継代片
４  内フラップ
５  外フラップ
６  切目線
７  指入部
８  切目線
９  摘み部
１０，１１  切目線
１１ａ，１１ｂ  分岐部
１２  開口壁部
１３  把手穴
Ｔ  テープ
【図１】
0004718322.tif 000002
【図２】
0004718322.tif 000003
【図３】
0004718322.tif 000004
【図４】
0004718322.tif 000005
【図５】
0004718322.tif 000006
【図６】
0004718322.tif 000007
【図７】
0004718322.tif 000008
【図８】
0004718322.tif 000009
【図９】
0004718322.tif 000010
【図１０】
0004718322.tif 000011
【図１１】
0004718322.tif 000012
【図１２】
0004718322.tif 000013
【図１３】
0004718322.tif 000014
【図１４】
0004718322.tif 000015
【図１５】
0004718322.tif 000016
【図１６】
0004718322.tif 000017